(57)【要約】【課題】マルチスパニングツリープロトコルの互換性方法とシステムを提供する。【解決手段】本発明のマルチスパニングツリープロトコルの互換性方法は、まず、検証モジュールが標準のマルチスパニング（MST）モジュールとLLC層とイーサネット（登録商標）駆動モジュール間に提供される。検証モジュールは受信検証ステップと伝送検証ステップを実行する。検証モジュール、標準MSTモジュール、LLC層、及び、イーサネット（登録商標）駆動モジュールはスイッチ中に構築される。ブリッジプロトコルデータユニット（BPDU）は検証モジュールによる受信される。BPDUがLLC層とイーサネット（登録商標）駆動モジュールから来る場合、BPDUに対し、受信検証ステップが実行される。BPDUが標準MSTモジュールから来る場合、BPDUに対し、伝送検証ステップが実行される。【選択図】図２
2007151072.tif 000002
【特許請求の範囲】
【請求項１】
マルチスパニングツリープロトコルの互換性方法であって、
標準のマルチスパニング（MST）モジュールとLLC層とイーサネット（登録商標）駆動モジュール間に検証モジュールを提供し、受信検証ステップと伝送検証ステップを実行し、前記検証モジュール、前記標準MSTモジュール、前記LLC層、及び、前記イーサネット（登録商標）駆動モジュールをスイッチ中に構築するステップと、
ブリッジプロトコルデータユニット（BPDU）を受信するステップと、
前記BPDUが前記LLC層と前記イーサネット（登録商標）駆動モジュールから来る場合、受信検証ステップを実行し、前記BPDUが前記標準MSTモジュールから来る場合、前記伝送検証ステップを実行するステップと、
からなることを特徴とする方法。
【請求項２】
前記受信検証ステップは、
前記BPDUの、第一MSTプロトコルと第二MSTプロトコルからなるクラスを判別するステップと、
前記BPDUが第一MSTプロトコルに符合する時、前記スイッチ中のコミュニケーションポートが第二MSTプロトコルとして記録されるか判断するステップと、
前記コミュニケーションポートが前記第二MSTプロトコルとして記録される時、前記コミュニケーションポートを前記第一MSTプロトコルに符合するように設定するステップと、
前記BPDUが前記第二MSTプロトコルに符合する時、前記BPDUが前記スイッチのMSTプロトコルの領域設定と相同か判断するステップと、
前記BPDUが前記スイッチのMSTの領域設定と相同の時、前記コミュニケーションポートを前記第二MSTプロトコルに符合するように設定するステップと、
前記BPDUが前記第二MSTプロトコルに符合する時、前記BPDUを前記第一MSTプロトコルに符合するようにパッケージするステップと、
からなることを特徴とする請求項１に記載の方法。  
【請求項３】
前記BPDUのクラスを判別するステップは、以下の少なくとも一つのステップで完成し、
前記BPDU中のバージョン３の長フィールドの値がゼロか判断するステップと、
前記BPDU中のMST延長情報領域の値が６４以上か判断するステップと、
前記BPDUの総長さマイナス３８が、前記BPDUのMST延長情報領域の値以上か判断するステップと、
前記BPDUの総長さマイナス１０３が２６の倍数か判断するステップと、
前記BPDUマイナス６４のMST延長情報領域の値が２６の倍数か判断するステップと、
からなることを特徴とする請求項２に記載の方法。
【請求項４】
前記コミュニケーションポートを前記第二MSTプロトコルに符合するように設定するステップ後に、識別情報をクリアにするステップを含み、前記識別情報は、前記第一MSTプロトコル伝送データの相関情報を表示し、前記BPDUのコミュニケーションポート中に記録されることを特徴とする請求項２に記載の方法。
【請求項５】
前記コミュニケーションポートを前記第二MSTプロトコルに符合するよう設定するステップの前に、識別情報を記録するステップを含み、前記識別情報は、前記第一MSTプロトコル伝送データの相関情報を表示し、前記識別情報は、前記BPDUのコミュニケーションポート中に記録されることを特徴とする請求項２に記載の方法。
【請求項６】
前記BPDUと前記スイッチの前記MSTプロトコル領域設定の同一性を判断するステップは、以下の少なくとも一つのステップで完成し、
前記BPDU中の設定名称領域が前記スイッチの設定名称領域と同一か識別するステップと、
前記BPDUのMSTI情報数量が前記スイッチの有効なスパニングツリー数量と同一か識別するステップと、
からなることを特徴とする請求項２に記載の方法。  
【請求項７】
前記第一MSTプロトコルはIEEE基準MSTプロトコルで、前記スイッチ自身のMSTプロトコルであることを特徴とする請求項２に記載の方法。
【請求項８】
前記第二MSTプロトコルはシスコ基準MSTプロトコルで、MSTプロトコルは前記スイッチと互換性があることを特徴とする請求項２に記載の方法。  
【請求項９】
前記伝送検証ステップは、
前記スイッチ中のコミュニケーションポートが第二MSTプロトコルに符合するか判断するステップと、
前記コミュニケーションポートが前記第二MSTプロトコルに符合する時、前記BPDUを前記第二MSTプロトコルに符合するようパッケージするステップと、
からなることを特徴とする請求項１に記載の方法。
【請求項１０】
マルチスパニングツリープロトコルの互換性システムであって、
標準のMSTモジュールとLLC層とイーサネット（登録商標）駆動モジュール間に提供され、受信検証ステップと伝送検証ステップを実行し、前記標準MSTモジュール、前記LLC層、及び、前記イーサネット（登録商標）駆動モジュールと共に、スイッチ中に構築される検証モジュールからなり、前記検証モジュールは、
BPDUのクラスを判別し、コミュニケーションポートのMSTプロトコル記録功能を提供するプロトコル識別モジュールと、
BPDU領域を検証し、コミュニケーションポートの識別情報記録を提供する領域検証モジュールと、
異なるフォーマットで、BPDUをパッケージするパッケージ転換モジュールと、
からなり、
前記検証モジュールが、受信検証ステップ、及び、伝送検証ステップを実行する時、必要な功能、及び、パラメータは、前記プロトコル識別モジュール、前記領域検証モジュール、及び、前記パッケージ転換ユニットにより提供されることを特徴とするシステム。
【請求項１１】
前記検証モジュールが前記受信検証ステップを実行する時、
前記BPDUの、第一MSTプロトコルと第二MSTプロトコルからなるクラスを判別するステップと、
前記BPDUが第一MSTプロトコルに符合する時、前記スイッチ中のコミュニケーションポートが第二MSTプロトコルとして記録されるか判断するステップと、
前記コミュニケーションポートが前記第二MSTプロトコルとして記録される時、前記コミュニケーションポートを前記第一MSTプロトコルに符合するように設定するステップと、
前記BPDUが前記第二MSTプロトコルに符合する時、前記BPDUが前記スイッチのMSTプロトコルの領域設定と相同か判断するステップと、
前記BPDUが前記スイッチのMSTの領域設定と相同の時、前記コミュニケーションポートを前記第二MSTプロトコルに符合するように設定するステップと、
前記BPDUが前記第二MSTプロトコルに符合する時、前記BPDUを前記第一MSTプロトコルに符合するようにパッケージするステップと、
からなることを特徴とする請求項１０に記載のシステム。  
【請求項１２】
前記BPDUのクラスを判別するステップは、以下の少なくとも一つのステップで完成し、
前記BPDU中のバージョン３の長フィールドの値がゼロか判断するステップと、
前記BPDU中のMST延長情報領域の値が６４以上か判断するステップと、
前記BPDUの総長さマイナス３８が、前記BPDUのMST延長情報領域の値以上か判断するステップと、
前記BPDUの総長さマイナス１０３が２６の倍数か判断するステップと、
前記BPDUマイナス６４のMST延長情報領域の値が２６の倍数か判断するステップと、
からなることを特徴とする請求項１１に記載のシステム。
【請求項１３】
前記コミュニケーションポートを前記第二MSTプロトコルに符合するように設定するステップ後に、識別情報をクリアにするステップを含み、前記識別情報は、前記第一MSTプロトコル伝送データの相関情報を表示し、前記BPDUのコミュニケーションポート中に記録されることを特徴とする請求項１１に記載のシステム。
【請求項１４】
前記コミュニケーションポートを前記第二MSTプロトコルに符合するよう設定するステップの前に、識別情報を記録するステップを含み、前記識別情報は、前記第一MSTプロトコル伝送データの相関情報を表示し、前記識別情報は、前記BPDUのコミュニケーションポート中に記録されることを特徴とする請求項１１に記載のシステム。
【請求項１５】
前記BPDUと前記スイッチの前記MSTプロトコル領域設定の同一性を判断するステップは、前記領域識別モジュールにより提供され、少なくとも一つのステップで完成し、
前記BPDU中の設定名称領域が前記スイッチの設定名称領域と同一か識別するステップと、
前記BPDUのMSTI情報数量が前記スイッチの有効なスパニングツリー数量と同一か識別するステップと、
からなることを特徴とする請求項１１に記載のシステム。  
【請求項１６】
前記第一MSTプロトコルはIEEE基準MSTプロトコルで、スイッチ自身のMSTプロトコルであることを特徴とする請求項１１に記載のシステム。
【請求項１７】
前記第二MSTプロトコルはシスコ基準MSTプロトコルで、MSTプロトコルはスイッチと互換性があることを特徴とする請求項１１に記載のシステム。  
【請求項１８】
前記検証モジュールが前記伝送検証ステップを実行する時、
前記スイッチ中のコミュニケーションポートが第二MSTプロトコルに符合するか判断するステップと、
前記コミュニケーションポートが前記第二MSTプロトコルに符合する時、前記BPDUを前記第二MSTプロトコルに符合するようパッケージするステップと、
からなることを特徴とする請求項１０に記載のシステム。
【請求項１９】
前記マルチスパニングツリープロトコルの互換性システムはスイッチで実行されることを特徴とする請求項１０に記載のシステム。
【発明の詳細な説明】
【技術分野】
【０００１】
本発明は、マルチスパニングツリー(multiple  spanning  tree  ,MST)プロトコルの操作方法であって、特に、マルチスパニングツリープロトコルの互換性方法とシステムに関するものである。
【背景技術】
【０００２】
一般に、スパニングツリープロトコル（spanning  tree  protocol、STP)は、IEEE８０２．１d基準に基づいたコミュニケーションと管理方法とメカニズムである。STPは、ネットワーク中のブリッジデバイスをサポートし、パス重複と冗長性を減少させるのに用いる。STPは、また、ネットワークトポロジー中のループを回避する。ネットワーク中、データはパケット方式で伝送される。スイッチは、異なるローカルエリアネットワーク（LANs）間で、データパケットをろ過する、或いは、転送する装置である。
【０００３】
ネットワークの技術的進歩に伴い、物理的LANは様々なバーチャルLAN（VLAN）に分けられる。よって、単一のSTPは、分割されたVLANトポロジーの要求に符合せず、これにより、MSTPが生まれ、ネットワークのマルチトポロジーを適切に計算する。領域は、MSTPの操作ユニットで、識別コード領域のスイッチは、同一のMSTパラメータを有する。領域が一旦形成されると、形成された領域の全スイッチは大きい統合スイッチとみなされる。
【０００４】
MSTPは、異なる基準に従って構築され、例えば、IEEE８０２．１s／８０２．１q基準とシスコ基準（Cisco  Standard）である。よって、スイッチはIEEE基準に符合し、シスコ基準と互換性がない。図１ａ〜図１ｃを参照すると、ネットワーク環境には、スイッチ１００、１０２、及び、１０４がある。スイッチ１０２はシスコスイッチ（シスコ基準に符合する）で、スイッチ１０４は標準スイッチ（IEEE８０２．１基準に符合する）である。スイッチ１０２と１０４が識別コード領域に設定される場合、理想的な領域は、図１ｂで示されるような１０８である。シスコスイッチは標準スイッチと互換性がないので、実際に形成された領域は、図１ｃで示されるような１１０と１１２である。シスコスイッチは領域１１０を形成し、標準スイッチはもう一つの領域１１２を形成する。領域１１０、１１２は、一領域に整合されない。
よって、MSTPの互換性方法とシステムが必要である。
【発明の開示】
【発明が解決しようとする課題】
【０００５】
本発明は、マルチスパニングツリープロトコルの互換性方法とシステムを提供することを目的とする。
【課題を解決するための手段】
【０００６】
検証モジュールが標準のマルチスパニング（MST）モジュールとLLC層とイーサネット（登録商標）駆動モジュール間に提供される。検証モジュールは受信検証ステップと伝送検証ステップを実行する。検証モジュール、標準MSTモジュール、LLC層、及び、イーサネット（登録商標）駆動モジュールはスイッチ中に構築される。ブリッジプロトコルデータユニット（BPDU）は検証モジュールによる受信される。BPDUがLLC層とイーサネット（登録商標）駆動モジュールから来る場合、BPDUに対し、受信検証ステップが実行される。BPDUが標準MSTモジュールから来る場合、BPDUに対し、伝送検証ステップが実行される。
【発明の効果】
【０００７】
本発明により、MSTPの互換性方法とシステムが提供される。
【発明を実施するための最良の形態】
【０００８】
図２は、本発明のスイッチの具体例を示す図である。具体例において、スイッチ２０が提供され、マルチスパニングツリープロトコルの互換性方法が適用される。スイッチ２０はIEEE基準のMSTプロトコルを採用し、シスコ標準MSTプロトコルはスイッチ２０と互換性がある。
【０００９】
検証モジュール２００は、標準MSTモジュール２０２とLLC層とイーサネット（登録商標）駆動モジュール２０４間に提供されて、受信検証ステップ２１０と伝送検証ステップ２１２を実行する。検証モジュール２００は、プロトコル識別モジュール２３０、領域検証モジュール２４０、パッケージ転換モジュール２５０を含む。検証モジュール２００、IEEE標準MSTプロトコルモジュール２０２、LLC層、及び、イーサネット（登録商標）駆動モジュール２０４は、スイッチ２０中に構築される。
【００１０】
検証モジュール２００は、ブリッジプロトコルデータユニット（BPDU）を受信、検証、調節する。BPDUがLLC層とイーサネット（登録商標）駆動モジュール２０４から来る場合、受信検証ステップ２１０がBPDUに実行される。BPDUがIEEE標準MSTモジュール２０２から来る場合、伝送検証ステップ２１２が実行される。
【００１１】
図３ａは、MSTプロトコルの互換性方法の受信検証ステップのフローチャートである。BPDUはLLC層とイーサネット（登録商標）駆動モジュール２０４により受信される（ステップ３００）。プロトコル識別モジュール２３０は受信したBPDUのクラスを判断する（ステップ３０２）。
【００１２】
BPDUがIEEE標準MSTプロトコルに符合する場合、それが、シスコ標準MSTプロトコルとして記録されたか判断する（ステップ３０４）。コミュニケーションポートがシスコ標準MSTプロトコルとして記録される場合、コミュニケーションポートは、IEEE標準MSTプロトコルに符合するよう設定される（ステップ３０６）。識別情報の設定は、コミュニケーションポートの設定後クリアになる（ステップ３０８）。
【００１３】
ステップ３０２において、BPDUがシスコ標準MSTプロトコルに符合する場合、領域検証モジュール２０４は、BPDUがスイッチのMSTプロトコル領域配置と同様か識別する（ステップ３１０）。BPDUがスイッチのMSTプロトコル領域配置と同様の場合、図４ｂで示されるように、受信したBPDUの設定識別コード領域４１２は、BPDUを受信するコミュニケーションポートの識別情報に記録され（ステップ３１２）、コミュニケーションポートは、シスコ標準MSTプロトコルに符合するよう設定される（ステップ３１４）。
【００１４】
最後に、BPDUがシスコ標準MSTプロトコルに符合する場合、BPDUはIEEE標準MSTプロトコルに符合するよう再パッケージされる（ステップ３１６）。その後、IEEE標準MSTプロトコルモジュールに、BPDUの受信を通知する（ステップ３１８）。
【００１５】
ここで、プロトコル識別モジュール２３０により実行されるBPDUのクラスの判断は、図４ａ〜図４ｂで示される。図４ａは、IEEE標準MSTプロトコルのBPDUの具体例を示す図である。図４ｂは、シスコ標準MSTプロトコルのBPDUの具体例を示す図である。BPDUのクラスの判断は、一つかそれ以上の以下の判断ステップにより達成される。BPDUのバージョン３の長フィールドの値がゼロかどうか、BPDUのMST延長情報領域の値が６４以上かどうか、BPDUの総長さマイナス３８が、BPDUのMST延長情報領域の値以上かどうか、BPDUの総長さマイナス１０３が２６の倍数かどうか、及び、BPDUマイナス６４のMST延長情報領域の値が２６の倍数であるかどうか、である。
【００１６】
領域検証モジュール２４０により実行される領域検証は図４ｃ〜図４ｄで示される。図４ｃは、IEEE標準MSTプロトコルのBPDUの設定識別コード領域４２０の具体例を示す図である。図４ｄは、シスコ標準MSTプロトコルのBPDUの設定識別コード領域４１２の具体例を示す図である。スイッチのBPDUとMSTプロトコル領域設定の同一性の識別は、一つ、或いは、それ以上の以下のステップにより達成される。BPDU中の設定識別コード領域４１２の設定名称領域４３０がスイッチの設定名称と同一であるかどうか、及び、BPDUのMSTI情報数量がスイッチの有効なスパニングツリー数量と同一かどうか、である。
【００１７】
パッケージ転換モジュール２５０により実行される再パッケージは、図４ａ〜図４ｂ、及び、図４ｅ〜図４ｆで示される。図４ａは、IEEE標準MSTプロトコルのBPDUの具体例を示す図である。図４ｂは、シスコ標準MSTプロトコルのBPDUの具体例を示す図である。図４ｅは、IEEE標準MSTプロトコルのBPDUのMSTIメッセージ領域４０６の具体例を示す図である。図４ｆは、シスコ標準MSTプロトコルのBPDUのMSTIメッセージ領域４０４の具体例を示す図である。シスコ標準MSTプロトコル（図４ｂ）のパッキングフォーマットは、延長情報領域４１０の値（６４＋２６×Ｎ）を、バージョン３長フィールド４０２の値（６４＋１６×Ｎ）に転換し、スイッチのMSTプロトコル領域識別情報を、設定識別領域４２０の値に複製し、残りのフィールドを対応するよう修正することにより、IEEE標準MSTプロトコルに転換される。シスコ標準MSTプロトコル（図４ｆ）に符合するBPDUのMSTI情報領域は、局地ルート識別コード領域４５２の第二バイトを、MSTIスパニングツリーナンバー領域に代替し、その後、局地ルート識別コード領域４６０の値を局地ルート識別コード領域４５２に設定し、MSTIブリッジ識別コード４５４の第一バイトを、MSTIブリッジ優先４６２の値として設定し、MSTIポート識別コード領域４５６の第一バイトを、MSTIポート優先領域４６４の値として設定し、他の領域を対応するように設定することにより、IEEE標準MSTプロトコル（図４ｅ）に転換される。
【００１８】
図３ｂは、MSTプロトコルの互換性方法の伝送検証ステップ２１２のフローチャートである。BPDUは、まず、IEEE標準MSTプロトコルにより伝送される（ステップ３２０）。BPDUのクラスは、プロトコル識別モジュール２３０により識別される（ステップ３２２）。
【００１９】
BPDUを伝送するスイッチのコミュニケーションポートがシスコ標準MSTプロトコルとして判定される場合、パッケージ転換モジュール２５０により、BPDUが再パッケージされて、シスコ標準MSTプロトコルに符合する（ステップ３２４）。最後に、LLC層とイーサネット（登録商標）駆動モジュール２０４は、BPDUを伝送するよう通知する（ステップ３２６）。
【００２０】
パッケージ転換モジュール２５０により実行される再パッケージは、図４ａ〜図４ｂ、及び、図４ｅ〜図４ｆで示される。図４ａは、IEEE標準MSTプロトコルのBPDUの具体例を示す図である。図４ｂは、シスコ標準MSTプロトコルのBPDUの具体例を示す図である。図４ｅは、IEEE標準MSTプロトコルのBPDUのMSTIメッセージ領域４０６の具体例を示す図である。図４ｆは、シスコ標準MSTプロトコルのBPDUのMSTIメッセージ領域４０４の具体例を示す図である。IEEE標準MSTプロトコル（図４ａ）のパッケージフォーマットは、バージョン３長フィールド４０２の値（６４＋１６×N）を、延長情報フィールド４１０（６４＋２６×Ｎ）の値に転換し、バージョン３長フィールドをゼロに設定し、スイッチのパッケージを伝送するコミュニケーションポートの識別情報記録を、設定識別コード領域４１２に複製し、残りの領域を対応するように修正することにより、シスコ標準MSTプロトコル（図４ｂ）に転換される。IEEE標準MSTプロトコル（図４ｅ）のMSTIメッセージ領域は、局地ルート識別コード領域４６０の値を、局地ルート識別コード領域４５２の値に設定し、局地ルート識別コード領域４６０の第二バイトを、MSTIナンバー４５０の値に設定し、CISTブリッジ識別コード領域４２２の第一バイトを、MSTIブリッジ優先４６２に代替し、CSTIブリッジ識別コード領域４２２を、MSTIブリッジ識別コード４５４に設定し、MSTIポート優先４６４とスイッチのポートを組み立てて、BPDUを、MSTIポート識別コード領域４５６に伝送し、他の領域を対応するように修正することにより、シスコ標準MSTプロトコル（図４ｆ）に転換される。
【００２１】
図２は、異なるMSTプロトコルに符合するスイッチの具体例を示す図である。マルチスパニングツリープロトコルの互換性システム２０が提供される。提供されるシステム２０は、検証モジュール２００を有する。検証モジュール２００は、プロトコル識別モジュール２３０、領域検証モジュール２４０、及び、パッケージ転換モジュール２５０、からなる。検証モジュール２００は、標準のマルチスパニング（MST）モジュール２０２とLLC層とイーサネット（登録商標）駆動モジュール２０４間に構築されて、受信検証ステップ２１０と伝送検証ステップ２１２を実行する。検証モジュール、標準MSTモジュール、LLC層、及び、イーサネット（登録商標）駆動モジュールは、スイッチ２０に構築される。
【００２２】
プロトコル識別モジュール２３０は、BPDUのクラスを識別し、コミュニケーションポートのMSTプロトコル記録を提供して、受信、伝送検証ステップを実行する。
【００２３】
領域検証モジュール２４０はBPDUの領域を検証し、コミュニケーションポートの識別情報記録を提供して、受信、伝送検証ステップを実行する。
【００２４】
パッケージ転換モジュール２５０は、様々なフォーマットで、BPDUをパッケージし、受信、伝送検証ステップを実行する。パッケージ転換モジュール２５０は、IEEE標準MSTプロトコルからシスコ標準MSTプロトコル、及び、その逆に、BPDUを転換する。
【００２５】
図５ａは、MSTプロトコルの互換性システムの典型的な実施例を示す図である。図５ｂは、MSTプロトコルの互換性システムのもう一つの典型的な実施例を示す図である。図５ａで示されるように、ネットワーク中に、三つのスイッチ５００、５０２、５０４がある。スイッチ５００は、上述の方法により構築される（強化スイッチと称する）。スイッチ５０４は、シスコ標準MSTプロトコルに符合するスイッチである（シスコスイッチと称する）。スイッチ５０２は、他のMSTプロトコルに符合するコモンスイッチである（その他のスイッチと称する）。シスコスイッチ５０４と強化スイッチ５００が識別コード領域に設定される時、強化スイッチ５００とシスコスイッチ５０４は、統合領域５０６を形成し、理想状態になる。
【００２６】
図５ｂは、複雑なネットワークを示す。スイッチ５１０は強化スイッチである。領域５１４はマルチシスコスイッチにより形成され、領域５１６はマルチ標準スイッチにより形成される（IEEE標準MSTプロトコルに符合する）。強化スイッチ５１０は、領域５１４と領域５１６間に構築される。理想的なMST領域５１６が形成される。
【００２７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００２８】
【図１ａ】異なるMSTプロトコルに符合するスイッチの操作を示す図である。
【図１ｂ】異なるMSTプロトコルに符合するスイッチの操作を示す図である。
【図１ｃ】異なるMSTプロトコルに符合するスイッチの操作を示す図である。
【図２】異なるMSTプロトコルに符合する本発明のスイッチの具体例を示す図である。
【図３ａ】MSTプロトコルの互換性方法の受信検証ステップのフローチャートである。
【図３ｂ】MSTプロトコルの互換性方法の伝送検証ステップのフローチャートである。
【図４ａ】IEEE標準MSTプロトコルのBPDUの具体例を示す図である。
【図４ｂ】シスコ標準MSTプロトコルのBPDUの具体例を示す図である。
【図４ｃ】IEEE標準MSTプロトコルのBPDUの設定識別コードの具体例を示す図である。
【図４ｄ】シスコ標準MSTプロトコルのBPDUの設定識別コードの具体例を示す図である。
【図４ｅ】IEEE標準MSTプロトコルのBPDUのMSTIメッセージ領域の具体例を示す図である。
【図４ｆ】シスコ標準MSTプロトコルのBPDUのMSTIメッセージ領域の具体例を示す図である。
【図５ａ】MSTプロトコルの互換性システムの典型的な実施例を示す図である。
【図５ｂ】MSTプロトコルの互換性システムのもう一つの典型的な実施例を示す図である。
【符号の説明】
【００２９】
１００    スイッチ
１０２    シスコスイッチ
１０４    IEEE基準スイッチ
１０６    マルチスパニングツリーが形成するシミュレーションスイッチ
１０８、１１０、１１２  マルチスパニングツリーが形成する領域
２０      スイッチ
２００    検証モジュール
２０２    IEEE基準マルチスパニングツリーモジュール
２０４    イーサネット（登録商標）駆動モジュール
２１０    受信検証モジュール
２１２    伝送検証モジュール
２３０    プロトコル識別モジュール
２４０    領域検証モジュール
２５０    パッケージ転換モジュール
４００、４０２  バージョン３長フィールド
４１０    MST延長情報長フィールド
４１２、４２０  MST設定識別コード領域
４１４、４２２  CISTブリッジ識別コード領域
４０４、４０６  MSTI情報
４３０、４４０  マルチスパニング設定識別コードの設定名称領域
４５０    MSTIスパニングツリーナンバー
４５２、４６０  局地ルート識別コード領域
４５４    MSTIブリッジ識別コード
４５６    MSTIコミュニケーションポート識別コード領域
４６２    MSTIブリッジ優先
４６４    MSTIコミュニケーションポート優先
５００、５１０  強化型スイッチ
５０２    その他のスイッチ
５０４    シスコスイッチ
５０６、５１６  マルチスパニングツリーが形成する領域
５１２    シスコ標準マルチスパニングツリーが形成する領域
５１４    IEEE標準マルチスパニングツリーが形成する領域
【図１ａ】
2007151072.tif 000003
【図１ｂ】
2007151072.tif 000004
【図１ｃ】
2007151072.tif 000005
【図２】
2007151072.tif 000006
【図３ａ】
2007151072.tif 000007
【図３ｂ】
2007151072.tif 000008
【図４ａ】
2007151072.tif 000009
【図４ｂ】
2007151072.tif 000010
【図４ｃ】
2007151072.tif 000011
【図４ｄ】
2007151072.tif 000012
【図４ｅ】
2007151072.tif 000013
【図４ｆ】
2007151072.tif 000014
【図５ａ】
2007151072.tif 000015
【図５ｂ】
2007151072.tif 000016